(57)【要約】【課題】    総べての鍼治療方式に優れた機能を持った治療用鍼灸鍼を提供する。【解決手段】    上端部に結合凹部を持ったプラスチック円筒状細管と、前記細管と同一内径を持ち細管の凹部に挿入した円筒状の結合挿入体からなる鍼管と、鍼柄とを熔融結合した治療用鍼である。【選択図】図２
2008168091.tif 000002
【特許請求の範囲】
上端部に結合凹部を持ったプラスチック円筒状細管（１）と、前記細管と同一内径を持った凹部に挿入する円筒状の結合挿入体（２）からなる鍼管（３）と鍼柄（４）を一体化した治療用鍼（図２）。
〔請求項Ｉ〕プラスチック細管（１）がポリオレフィン系樹脂からなる特許請求の範囲記載の鍼管。
〔請求項ＩＩ〕円筒状の結合挿入体（２）がポリオレフィン−カルボン酸共重合系樹脂、ポリオレフィン−酢酸ビニ−ル共重合系樹脂、塩化ビニ−ル−酢酸ビニ−ル共重合系樹脂のいずれかからなる特許請求の範囲記載の鍼管。
〔請求項ＩＩＩ〕鍼柄の材質がステンレス鋼、アルミニュウム、銅合金のいずれからなる特許請求の範囲記載の治療用鍼。
〔請求項ＩＶ〕鍼柄と、鍼管を構成する結合挿入体が、超音波法、レ−ザ−熔接法、熱熔接法のいずれかによる熔融接着により一体化した特許請求の範囲記載の治療用鍼。
【発明の詳細な説明】
【技術分野】
【０００１】      本発明は新しい鍼管を使用した一体化鍼灸治療用鍼に関するものである。
【背景技術】
【０００２】      鍼灸治療用鍼の基本構造としては、［図１］に示す様に、プラスチック鍼管（３）、金属製鍼柄（４）、金属製鍼体（５）からなり、プラスチック止べら（６）により、鍼管と鍼柄を固定している。
【発明の開示】
【発明が解決しようとする課題】
【０００３】  これ迄は［図１］に示す構造の鍼が最も多く使用されていたが、治療に当たっては、止めべらを取り外して使用する必要があった。これは操作上手間であると共に、止めべらの破棄に問題があった。金属製鍼柄に使用されている金属としては、ステンレス鋼を主体として、銅合金、アルミニュウムが使用されている。又ポリオレフィン樹脂としては、ポリエチレン、ポリプロピレンが広く使われている。
止めべらを使用しない方法については検討されているが、金属製鍼柄とポリオレフィン製鍼管を直接接合する事は困難であった。これが為鍼柄をポリオレフィン系樹脂とすることにより、鍼管と鍼柄を熱熔接又は超音波熔接する事により固定することが行われている。しかし、鍼治療の方式として鍼柄に艾を取りつけて点火し燃焼させる灸頭鍼方式が広く行われている。プラスチック鍼柄は熱に耐えられないので灸頭緘方式には使用出来ない。現在行われている鍼治療方式の全てに満足して使用できる鍼は存在していない。
【課題を解決する為の手段】
【０００４】  ポリオレフィン樹脂鍼菅と金属製鍼柄を接合する方式としては、接着剤による方式も検討されているが、両素材の接着は容易でなく、接着剤の選択、接着量の制御、接着時間、接着力の調節等幾つかの問題点があり解決されていない。これに対し種々検討を行ったが、鍼管の一部即ち金属製鍼柄と結合する部分を特許請求項請求範囲に示した様に、使用金属と接着が容易な樹脂の円筒状の結合挿入体をとする事により、現在行われている鍼治療の全てに満足して使用できる治療鍼を製造し本発明を完成した。
本発明に用いる結合挿入体としては、オレフイン−重合性カルボン酸共重合体系樹脂、エチレン−酢酸ビニ−ル共重合体系樹脂、塩化ビニ−ル−酢酸ビニ−ル共重合体系樹脂がある。オレフィン−重合性カルボン酸共重合体系樹脂に使用するオレフィンとしては、エチレン、プロピレンがある。又重合性カルボン酸としては、マレイン酸、アクリル酸、メタアクリル酸等があり、共重合比率は、オレフィンとして４０〜９５モル％の範囲から選択することが出来る。オレフィン−酢酸ビニ−ル共重合体系樹脂の共重合比率は、オレフィンとして２５〜６０重量％の範囲から選択することが出来る。塩化ビニ−ル−酢酸ビニ−ル共重合体系樹脂の共重合比率は、塩化ビニ−ルとして７０〜９０重量％の範囲から選択する事が出来る。
本発明に用いる挿入成型体の鍼菅の長さ方向の長さとしては、１２ｍｍを越えない範囲であれば特に限定する必要はないが、３〜８ｍｍの範囲にあるのが好ましい１２ｍｍを越えると熔融接着時に接着面積が大になり、接着力の絶対値が大きくな。るので、鍼治療時に鍼菅と鍼柄の分離が困難になり好ましくない。適正な接着強度を得るには、鍼菅と鍼柄を接着時に熔着方式、条件等の調整と共に挿入体の長さを上記条件内で調整する事が好ましい
【発明の効果】
【０００５】  鍼治療に際しては、止めべらを使用すること無く、鍼柄を鍼管との接着面の反対方向に押す操作のみにて治療鍼を鍼管から切り離す事が可能になり、治療手順が短縮されると共に破棄物もなくなり合理的な治療が達成された。又灸頭鍼としての使用も可能であり同一鍼により各種の鍼治療が可能になった。
【発明を実施するための最良の形態】
【０００６】［実施例１］共重合比率ポリエチレン６０モル、マレイン酸４０モルの共重合体から円筒状の鍔付き挿入成型体を射出成型機を用い成型した。別途成型した上端に結合凹部を持ったプラスチック細管に挿入してプラスチック鍼管を製造した。このプラスチック鍼管の挿入成型体部にステンレス製、真鍮製鍼柄を挿入し超音波熔接機で熔着した。いずれも実用上適当な接着状態であった。同様操作を同一。条件で作られた複数個のサンプルについて行ったが安定した接着状態が得られた
［実施例２］共重合比率がポリエチレン７５モル、アクリル酸２５モルの共重合体から円筒状の挿入成型体を製造、実施例１と同一内容の操作を行った。実施例１と同様良好な結果を得た。
［実施例３］共重合比率がプロピレン５０モル、酢酸ビニ−ル５０モルの共重合体から円筒状の挿入成型体を製造、レ−ザ−熔接機で熔着した。安定した接着状態が得られた。
［実施例４］共重合比率が塩化ビニ−ル７５重量部、酢酸ビニ−ル２５重量部の共重合体から円筒状の挿入体を製造、熱熔接を行った。安定した接着状態が得られた。
【図面の簡単な説明】
【０００７】
【図１】従来の治療用鍼図
【図２】本発明による治療用鍼
【符号の説明】
【０００８】  １  上部に結合凹部を持ったプラスチック細管
２  （１）細管と同一内径を持った（１）の凹部に挿入する円筒状の結合挿入体
３  プラスチック鍼管
４  金属製鍼柄
５  ステンレス鍼体
６  止めべら
【図１】
2008168091.tif 000003
【図２】
2008168091.tif 000004
【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
上端部に結合凹部を持ったプラスチック円筒状細菅（１）と、前記細菅と同一の内径を持った凹部に挿入する円筒状の結合挿入体（２）からなる鍼菅（３）と鍼柄とを一体化した治療用鍼（図２）。
【請求項２】
プラスチック細菅（１）がポリオレフィン系樹脂からなる特許請求項１に記載の鍼菅。
【請求項３】
円筒状の結合挿入体がポリオレフィン−重合性カルボン酸共重合体系樹脂、ポリオレフィン−酢酸ビニ−ル共重合体系樹脂、塩化ビニ−ル−酢酸ヒニ−ル共重合体系樹脂のいずれかからなる特許請求項１に記載の治療用鍼。
【請求項４】
鍼柄の材質がステンレス鋼、アルミニュウム、銅合金からなる特許請求項１に記載の治療用鍼。
【請求項５】
鍼柄と鍼菅を構成する結合挿入体が、超音波法、レ−ザ−溶接法、熱溶接法のいずれかによる溶融接着により一体化した特許請求項１に記載の治療用鍼。